(57)【要約】【課題】  従来の発振装置では、ＣＲ発振回路は、水晶発振回路の発振の起動の支援を充分に適切に行うことができなかった。【解決手段】  本発明に係る発振装置は、水晶発振子により規定される周波数を有する第１の信号を発振する水晶発振回路と、前記水晶発振回路が前記第１の信号を定常的に発振するまでの過渡期において、前記周波数と実質的に同一な第２の周波数を有する第２の信号を生成し、当該第２の信号を前記水晶発振回路に供給するＣＲ発振回路とを含む。【選択図】  図１
2006270161.tif 000002
【特許請求の範囲】
【請求項１】
水晶発振子により規定される周波数を有する第１の信号を発振する水晶発振回路と、
前記水晶発振回路が前記第１の信号を定常的に発振するまでの過渡期において、前記周波数と実質的に同一な第２の周波数を有する第２の信号を生成し、当該第２の信号を前記水晶発振回路に供給するＣＲ発振回路とを含むことを特徴とする発振装置。
【請求項２】
前記ＣＲ発振回路は、静電容量と、抵抗器と、縦続接続された複数のインバータとを有し、
第１の電流の供給を受けることにより第１の電圧を生成する第１のインバータと、
前記複数のインバータに前記第１の電流の値と実質的に同一な値の第２の電流を供給するための第２の電圧の印加を受けることにより、前記第１の電圧の値と実質的に同一な値であるべき第３の電圧を生成する第２のインバータと、
前記第１の電圧及び前記第３の電圧間の差に基き、前記第２の電圧の値を調整するオペアンプとを有する安定回路を更に含むことを特徴とする請求項１記載の発振装置。
【請求項３】
前記ＣＲ発振回路の出力端と、前記水晶発振子及び前記水晶発振回路間の接続点との間に設けられた第１のスイッチと、
前記水晶発振回路の出力端に接続された第２のスイッチと、
前記第１のスイッチを初期時の接続状態から遮断状態に切り換えることにより、前記ＣＲ発振回路の出力端からの前記第２の信号が前記水晶発振子及び前記水晶発振回路間の接続点に出力されることを禁止する第１の工程と、
前記第１の工程に引き続き、前記第２のスイッチを初期時の遮断状態から接続状態に切り換えることにより、前記水晶発振回路の出力端からの前記第１の信号が当該発振装置の外部に出力されることを許可する第２の工程と、
前記第２の工程に引き続き、前記ＣＲ発振回路による前記第２の信号の生成を禁止する第３の工程とを行う制御回路とを更に含むことを特徴とする請求項１記載の発振装置。
【請求項４】
前記ＣＲ発振回路の出力端と、前記水晶発振子及び前記水晶発振回路間の接続点との間に設けられた第１のスイッチと、
前記水晶発振回路の出力端に接続された第２のスイッチと、
前記第１のスイッチを初期時の接続状態から遮断状態に切り換えることにより、前記ＣＲ発振回路の出力端からの前記第２の信号が前記水晶発振子及び前記水晶発振回路間の接続点に出力されることを禁止する第１の工程と、
前記第１の工程に引き続き、前記ＣＲ発振回路による前記第２の信号の生成を禁止する第２の工程と、
前記第２の工程に引き続き、前記第２のスイッチを初期時の遮断状態から接続状態に切り換えることにより、前記水晶発振回路の出力端からの前記第１の信号が当該発振装置の外部に出力されることを許可する第３の工程とを行う制御回路とを更に含むことを特徴とする請求項１記載の発振装置。
【請求項５】
前記第１の工程及び前記第２の工程間、並びに、前記第２の工程及び前記第３の工程間のうち少なくとも一つの長さは、前記第１の信号により規定されるクロック２個分以上であることを特徴とする請求項３又は４記載の発振装置。
【請求項６】
定常的に発振すべき第１周波数より低い周波数から前記第１の周波数へ向けて、発振する信号の周波数を高めつつ発振する動作の過程で、前記第１の周波数と実質的に同一な第２の周波数を有する第２の信号を前記発振の動作に供給することにより、前記発振の動作を促進することを特徴とする発振方法。
【発明の詳細な説明】
【技術分野】
【０００１】
本発明は、水晶発振子により規定される周波数を有する信号を発振する水晶発振回路を備える発振装置及び発振方法に関する。
【背景技術】
【０００２】
上記した従来の発振装置では、例えば、下記の特許文献１に記載されたように、仕様が相異なる発振条件の下であっても的確に発振すべく、前記水晶発振回路による発振の起動をＣＲ発振回路が支援する。
【０００３】
【特許文献１】特開２００４−１４０８１７号公報
【発明の開示】
【発明が解決しようとする課題】
【０００４】
しかしながら、前記ＣＲ発振回路は、前記水晶発振回路の発振の起動を誘発することを企図して、前記水晶発振回路に単なる外乱を与えるに過ぎないことから、前記水晶発振回路の発振の起動の支援を充分に適切に行うことができず、例えば、前記信号を定常的に発振するまでに要する所要時間を充分に短くすることができないという問題があった。
【課題を解決するための手段】
【０００５】
本発明に係る発振装置は、上記した問題を解決すべく、水晶発振子により規定される周波数を有する第１の信号を発振する水晶発振回路と、前記水晶発振回路が前記第１の信号を定常的に発振するまでの過渡期において、前記周波数と実質的に同一な第２の周波数を有する第２の信号を生成し、当該第２の信号を前記水晶発振回路に供給するＣＲ発振回路とを含む。
【０００６】
本発明に係る発振装置によれば、前記水晶発振回路が前記第１の周波数を有する前記第１の信号を定常的に発振するまでの前記過渡期において、前記ＣＲ発振回路が、前記水晶発振回路に、前記第１の周波数と実質的に同一な第２の周波数を有する前記第２の信号を供給し、当該第２の周波数を有する当該第２の信号により、前記水晶発振回路による前記第１の周波数を有する前記第１の信号の発振が促されることから、水晶発振回路に、前記第１の周波数と何らの関係を有しない単なる外乱を与えることにより前記第１の信号の発振を支援していた従来の発振装置に比して、前記水晶発振回路による前記第１の信号の発振をより適切に支援することが可能となる。
【０００７】
上記した本発明に係る発振装置では、前記ＣＲ発振回路は、静電容量と、抵抗器と、縦続接続された複数のインバータとを有し、第１の電流の供給を受けることにより第１の電圧を生成する第１のインバータと、前記複数のインバータに前記第１の電流の値と実質的に同一な値の第２の電流を供給するための第２の電圧の印加を受けることにより、前記第１の電圧の値と実質的に同一な値であるべき第３の電圧を生成する第２のインバータと、前記第１の電圧及び前記第３の電圧間の差に基き、前記第２の電圧の値を調整するオペアンプとを有する安定回路を更に含む。
【０００８】
上記した本発明に係る発振装置では、前記ＣＲ発振回路の出力端と、前記水晶発振子及び前記水晶発振回路間の接続点との間に設けられた第１のスイッチと、前記水晶発振回路の出力端に接続された第２のスイッチと、前記第１のスイッチを初期時の接続状態から遮断状態に切り換えることにより、前記ＣＲ発振回路の出力端からの前記第２の信号が前記水晶発振子及び前記水晶発振回路間の接続点に出力されることを禁止する第１の工程と、前記第１の工程に引き続き、前記第２のスイッチを初期時の遮断状態から接続状態に切り換えることにより、前記水晶発振回路の出力端からの前記第１の信号が当該発振装置の外部に出力されることを許可する第２の工程と、前記第２の工程に引き続き、前記ＣＲ発振回路による前記第２の信号の生成を禁止する第３の工程とを行う制御回路とを更に含む。
【０００９】
上記した本発明に係る発振装置では、前記ＣＲ発振回路の出力端と、前記水晶発振子及び前記水晶発振回路間の接続点との間に設けられた第１のスイッチと、前記水晶発振回路の出力端に接続された第２のスイッチと、前記第１のスイッチを初期時の接続状態から遮断状態に切り換えることにより、前記ＣＲ発振回路の出力端からの前記第２の信号が前記水晶発振子及び前記水晶発振回路間の接続点に出力されることを禁止する第１の工程と、前記第１の工程に引き続き、前記ＣＲ発振回路による前記第２の信号の生成を禁止する第２の工程と、前記第２の工程に引き続き、前記第２のスイッチを初期時の遮断状態から接続状態に切り換えることにより、前記水晶発振回路の出力端からの前記第１の信号が当該発振装置の外部に出力されることを許可する第３の工程とを行う制御回路とを更に含む。
【００１０】
上記した本発明に係る発振装置では、前記第１の工程及び前記第２の工程間、並びに、前記第２の工程及び前記第３の工程間のうち少なくとも一つの長さは、前記第１の信号により規定されるクロック２個分以上である。
【００１１】
本発明に係る発振方法は、上記した課題を解決すべく、定常的に発振すべき第１周波数より低い周波数から前記第１の周波数へ向けて、発振する信号の周波数を高めつつ発振する動作の過程で、前記第１の周波数と実質的に同一な第２の周波数を有する第２の信号を前記発振の動作に供給することにより、前記発振の動作を促進する。
【発明を実施するための最良の形態】
【００１２】
本発明に係る発振方法を使用する発振装置の実施形態について図面を参照して説明する。
【実施例】
【００１３】
《構成》
図１は、実施例の発振装置の構成を示す。実施例の発振装置ＯＤは、水晶発振子１により規定される周波数である水晶発振周波数Ｆ＿Ｘを有する水晶発振信号ＯＳ＿Ｘを出力すべく、図１に示されるように、水晶発振子１と、水晶発振回路２と、ＣＲ発振回路３と、安定回路４と、第１のスイッチＳＷ１と、第２のスイッチＳＷ２と、制御回路５とを含む。
【００１４】
水晶発振子１は、従来知られたと同様な構造及び機能を有する。
【００１５】
水晶発振回路２は、そのゲート端子Ｇ及びドレイン端子Ｄ間に水晶発振子１が接続されており、また、その出力端子ｏｕｔがスイッチＳＷ２及び制御回路５に接続されている。水晶発振回路２は、水晶発振子１と協働して、従来知られたコルピッツ型発振回路を構成しており、その出力端子ｏｕｔから水晶発振信号ＯＳ＿Ｘを出力する。
【００１６】
ＣＲ発振回路３は、発振装置ＯＤを立ち上げてから、即ち、発振装置に電力を供給する電源装置（図示せず）を立ち上げてから、水晶発振回路２が水晶発振信号ＯＳ＿Ｘを定常的に発振するに至るまでの過渡期において、水晶発振子１及び水晶発振回路２に、水晶発振周波数Ｆ＿Ｘと実質的に同一な周波数であるＣＲ発振周波数Ｆ＿ＣＲを有するＣＲ発振信号ＯＳ＿ＣＲを、水晶発振子１及び水晶発振回路２間の接続点と接続可能な出力端子ｏｕｔから供給する。
【００１７】
安定回路４は、ＣＲ発振回路３が生成するＣＲ発振信号ＯＳ＿ＣＲのＣＲ発振周波数Ｆ＿ＣＲを安定化すべく、ＣＲ発振回路３の発振動作を制御すべく、その出力端子ｏｕｔからＣＲ発振回路３の入力端子ｉｎに当該制御のための信号を出力する。
【００１８】
図２は、実施例のＣＲ発振回路及び安定回路の構成を示す。ＣＲ発振回路３は、従来知られたと同様な構成を有し、具体的には、図２に示されるように、３つの縦続接続された第１のインバータＩＮ１、第２のインバータＩＮ２、第３のインバータＩＮ３と、第１のインバータＩＮ１の入力端及び第３のインバータＩＮ３の出力端間に接続された抵抗器Ｒと、第１のインバータＩＮ１の入力端及び第２のインバータＩＮ２の出力端間に接続された静電容量Ｃとを含む。
【００１９】
３つのインバータＩＮ１、ＩＮ２、ＩＮ３は、電源電圧端子が安定回路４内のオペアンプＯＰ（後述）の出力端子ｏｕｔに接続されており、他方で、接地電圧端子が接地電圧（ＧＮＤ）に接続されている。
【００２０】
安定回路４は、図２に図示されるように、定電流生成回路ＣＩと、第１のインバータＩＮＶ１と、第２のインバータＩＮＶ２と、オペアンプＯＰとを有する。ここで、ＣＲ発振回路３内のインバータＩＮ１、ＩＮ２、ＩＮ３、及び安定回路４内のインバータＩＮＶ１、ＩＮＶ２は、トランジスタ・サイズ、即ち、チャネル幅、チャネル長、ドレイン容量等のトランジスタ構造が本来的には同一であるべきである。
【００２１】
定電流生成回路ＣＩは、第１のインバータＩＮＶ１に、閾値電圧Ｖｔｈ（例えば、電源電圧Ｖｄｄが３Ｖであるときにおける１．５Ｖ）のような固定的な第１の電圧Ｖ１を生成させるべく、第１のインバータＩＮＶ１の電源電圧端子に定電流Ｉを供給する。
【００２２】
第１のインバータＩＮＶ１は、その入力端及び出力端間が接続されており、当該接続点がオペアンプＯＰの＋側入力端に接続されており、当該オペアンプＯＰの＋側入力端子に上記した第１の電圧Ｖ１を与える。第１のインバータＩＮＶ１の接地電圧端子は、接地電圧に接続されている。
【００２３】
オペアンプＯＰは、−側入力端子に第２のインバータＩＮＶ２から第３の電圧Ｖ３（後述）を印加され、第１の電圧Ｖ１及び第２の電圧Ｖ３間の差に応じて、ＣＲ発振回路３内の３つのインバータＩＮ１、ＩＮ２、ＩＮ３に、定電流Ｉ（安定回路４内の第１のインバータＩＮＶ１に供給される定電流Ｉと同値）を流すことができる電圧である第２の電圧Ｖ２を調整しながら生成する。
【００２４】
第２のインバータＩＮＶ２は、その入力端及び出力間が接続されており、電源電圧端子にオペアンプＯＰからの第２の電圧Ｖ２が印加され、また、接地電圧端子は接地電位に接続されている。第２のインバータＩＮＶ２は、本来的には第１の電圧Ｖ１と同値である第３の電圧Ｖ３であって実際には第２の電圧Ｖ２の大きさにより変動する第３の電圧Ｖ３をオペアンプＯＰの−側入力端に与える。
【００２５】
上記した構成を有する安定回路４は、ＣＲ発振回路３内の３つのインバータＩＮ１、ＩＮ２、ＩＮ３に定電流Ｉを供給することにより、（１）温度変動や電源電圧Ｖｄｄの変動に起因して３つのインバータＩＮ１、ＩＮ２、ＩＮ３が受ける影響を抑え、これにより、ＣＲ発振周波数Ｆ＿ＣＲを安定化することができ、また、（２）製造プロセス上のばらつきに起因する３つのインバータＩＮ１、ＩＮ２、ＩＮ３の特性上のばらつきが与えるＣＲ発振周波数Ｆ＿ＣＲへの影響を抑え、これにより、同様にＣＲ発振周波数Ｆ＿ＣＲを安定化することができる。
【００２６】
図１に戻り、第１のスイッチＳＷ１は、水晶発振子１及び水晶発振回路２間の接続点、換言すれば、水晶発振回路２のゲート端子Ｇと、ＣＲ発振回路３の出力端子ｏｕｔ間に設けられており、初期時には接続状態になっている。第２のスイッチＳＷ２は、論理積素子（ＡＮＤ素子）からなり、その一方の入力端が水晶発振回路２の出力端子ｏｕｔに接続されており、その出力端から水晶発振信号ＯＳ＿Ｘを出力する。第２のスイッチＳＷ２は、初期時には遮断状態になっている。
【００２７】
制御回路５は、その入力端子ｉｎが水晶発振回路２の出力端子ｏｕｔに接続されており、第３制御出力端子ｃｏｕｔ３が第２のスイッチＳＷ２の入力端に接続されており、第２の制御出力端子ｃｏｕｔ２がＣＲ発振回路３の被制御端子ｃｎｔに接続されており、第１の制御出力端子ｃｏｕｔ１が第１のスイッチＳＷ１の被制御端子に接続されている。
【００２８】
図３は、実施例の制御回路の構成を示す。制御回路５は、図３に示されるように、カウンタＣＴＲと、第１のフリップフロップＤＦＦ１と、第２のフリップフロップＤＦＦ２と、第３のフリップフロップＤＦＦ３とを有する。カウンタＣＴＲは、従来知られたカウンタ回路と同一な構成及び機能を有し、また、第１、２、３のフリップフロップＤＦＦ１、ＤＦＦ２、ＤＦＦ３は、従来知られたＤフリップフロップと同一な構成及び機能を有する。カウンタＣＴＲは、その第１、２、３出力端子ｏｕｔ１、ｏｕｔ２、ｏｕｔ３が、第１、２、３のフリップフロップＤＦＦ１、ＤＦＦ２、ＤＦＦ３のクロック端子Ｃに接続されており、第１、２、３のフリップフロップＤＦＦ１、ＤＦＦ２、ＤＦＦ３のデータ端子Ｄは、接地電圧Ｖｓｓ、接地電圧Ｖｓｓ、電源電圧Ｖｄｄに接続されている。
【００２９】
制御回路５では、カウンタＣＴＲは、入力端子ｉｎに入力されるＣＲ発振信号ＯＳ＿ＣＲに基き、予め決められた３つのカウント数（図４のタイムチャートにおける、時刻ｔ１〜時刻ｔ２の期間、時刻ｔ１〜時刻ｔ４の期間、時刻ｔ１〜時刻ｔ３の期間に相当）をそれぞれ計数した後に、カウントアップした旨を示す第１、２、３のカウントアップ信号ＣＵ１、ＣＵ２、ＣＵ３をその第１、２、３出力端子ｏｕｔ１、ｏｕｔ２、ｏｕｔ３から第１、２、３のフリップフロップＤＦＦ１、ＤＦＦ２、ＤＦＦ３のクロック端子Ｃに出力する。
【００３０】
第１のフリップフロップＤＦＦ１は、第１のカウントアップ信号ＣＵ１を受けると、データ端子Ｄに印加されている接地電圧Ｖｓｓを出力端Ｑから第１のスイッチＳＷ１に出力することにより、第１のスイッチＳＷ１を遮断状態にする。第２のフリップフロップＤＦＦ２は、第２のカウントアップ信号ＣＵ２を受けると、データ端子Ｄに印加されている接地電圧Ｖｓｓを出力端ＱからＣＲ発振回路３に出力することにより、ＣＲ発振回路３に、ＣＲ発振信号ＯＳ＿ＣＲの生成を停止させる。第３のフリップフロップＤＦＦ３は、第３のカウントアップ信号ＣＵ３を受けると、データ端子Ｄに印加されている電源電圧Ｖｄｄを出力端Ｑから第２のスイッチＳＷ２に出力することにより、第２のスイッチＳＷ２を初期時の遮断状態から接続状態に切り換え、これにより、水晶発振回路２からの水晶発振信号ＯＳ＿Ｘが外部へ出力されることを許可する。
【００３１】
《動作》
図４は、実施例の発振装置の動作を示すタイムチャートである。以下、発振装置ＯＤの動作を図４のタイムチャートを参照して説明する。
【００３２】
時刻ｔ０：発振装置のＯＤのユーザは、発振装置ＯＤに電力を供給する電源装置（図示せず）のスイッチをオンにする。
【００３３】
時刻ｔ１：ＣＲ発振回路３は、電源回路のスイッチがオンになると直ちに、ＣＲ発振周波数Ｆ＿ＣＲを有するＣＲ発振信号ＯＳ＿ＣＲの生成を開始する。初期時、第１のスイッチＳＷ１が接続状態であることから、ＣＲ発振信号ＯＳ＿ＣＲは、第１のスイッチＳＷ１を介して、水晶発振子１及び水晶発振回路２に向けて供給される。当該ＣＲ発振信号ＯＳ＿ＣＲは、水晶発振回路２を介して制御回路５に受け取られ、制御回路５内のカウンタＣＴＲは、当該ＣＲ発振信号ＯＳ＿ＣＲのクロックを計数し始める。
【００３４】
時刻ｔ２：制御回路５は、カウントアップした旨を示す第１制御信号ＣＮＴ１を第１のスイッチＳＷ１に出力し、これにより、第１のスイッチＳＷ１を遮断状態にし、ＣＲ発振回路３からのＣＲ発振信号ＯＳ＿ＣＲが水晶発振子１及び水晶発振回路２に向けて供給されることを停止する。
【００３５】
時刻ｔ３：時刻ｔ２から起算してＣＲ発振信号ＯＳ＿ＣＲのクロック２個分以上離れた時刻である時刻ｔ３になると、制御回路５は、カウントアップした旨を示す第３制御信号ＣＮＴ３を第２のスイッチＳＷ２に出力し、これにより、第２のスイッチＳＷ２を接続状態にし、水晶発振回路２からの水晶発振信号ＯＳ＿Ｘが外部へ出力されることを許可する。
【００３６】
時刻ｔ４：時刻ｔ３から起算してＣＲ発振信号ＯＳ＿ＣＲのクロック２個分以上離れた時刻である時刻ｔ４になると、制御回路５は、カウントアップした旨を示す第２制御信号ＣＮＴ２をＣＲ発振回路３に出力し、これにより、ＣＲ発振回路３に、ＣＲ発振信号ＯＳ＿ＣＲの生成を停止させる。
【００３７】
《効果》
上述したように、実施例の発振装置ＯＤでは、電源装置のオンにより発振装置ＯＤが立ち上がった時刻ｔ０後の間も無い時刻ｔ１から、水晶発振回路２が水晶発振子１に基き水晶発振信号ＯＳ＿Ｘを定常的に、即ち、安定的に発振するであろう時刻ｔ２までの過渡期間において、ＣＲ発振回路３が、水晶発振子１及び水晶発振回路２に、水晶発振信号ＯＳ＿Ｘの水晶発振周波数Ｆ＿Ｘと実質的に同一であるＣＲ発振周波数Ｆ＿ＣＲを有するＣＲ発振信号ＯＳ＿ＣＲを供給することから、単に外乱を与えるにすぎない従来の発振装置に比して、水晶発振回路２が安定的に、水晶発振信号ＯＳ＿Ｘを生成することができるようになるまでの所要時間を短縮することが可能となる。
【００３８】
また、時刻ｔ２及び時刻ｔ３間、時刻ｔ３及び時刻ｔ４間の長さが、ＣＲ発振信号ＯＳ＿ＣＲのクロック２個分以上あることから、制御回路５は、例えば、第１のスイッチＳＷ１を接続状態から遮断状態に切り換える前に第２のスイッチＳＷ２を遮断状態から接続状態に切り換えてしまうような、本来の順序と反対の順序で発振装置ＯＤの動作を制御するという事態を回避することが可能となる。
【００３９】
〈変形例〉
図５は、発振装置の他の動作を示すタイムチャートである。上記した発振装置ＯＤは、図４に図示のタイムチャート以外に、図５に図示のタイムチャートに沿って動作してもよい。以下、発振装置ＯＤの動作について、図５に図示された他のタイムチャートを参照して説明する。
【００４０】
時刻ｔ３：時刻ｔ０、ｔ１、ｔ２のときに上記と同様な動作が行われた後、時刻ｔ２から起算してＣＲ発振信号ＯＳ＿ＣＲのクロック２個分以上離れた時刻である時刻ｔ３になると、上記した実施例における時刻ｔ４での動作と同様に、制御回路５は、カウントアップした旨を示す第２制御信号ＣＮＴ２をＣＲ発振回路３に出力し、これにより、ＣＲ発振回路３に、ＣＲ発振信号ＯＳ＿ＣＲの生成を停止させる。
【００４１】
時刻ｔ４：時刻ｔ３から起算してＣＲ発振信号ＯＳ＿ＣＲのクロック２個分以上離れた時刻である時刻ｔ４になると、上記した実施例における時刻ｔ３の動作と同様に、制御回路５は、カウントアップした旨を示す第３制御信号ＣＮＴ３を第２のスイッチＳＷ２に出力し、これにより、第２のスイッチＳＷ２を接続状態にし、水晶発振回路２からの水晶発振信号ＯＳ＿Ｘが外部へ出力されることを許可する。
【００４２】
上述したように、実施例での発振装置ＯＤによる、第２のスイッチＳＷ２を接続状態した後にＣＲ発振回路３の発振を停止させるという順序とは対照的に、変形例での発振装置ＯＤによる、ＣＲ発振回路３の発振を停止させた後に第２のスイッチＳＷ２を接続状態にするという手順によっても、上記した実施例の効果と同様な効果を得ることができる。
【図面の簡単な説明】
【００４３】
【図１】実施例の発振装置の構成を示す図。
【図２】実施例のＣＲ発振回路及び安定回路の構成を示す図。
【図３】実施例の制御回路の構成を示す図。
【図４】実施例の発振装置の動作を示すタイムチャート。
【図５】変形例の発振装置の動作を示すタイムチャート。
【符号の説明】
【００４４】
ＯＤ  発振装置    １  水晶発振子    ２  水晶発振回路    ３  ＣＲ発振回路    ４  安定回路    ５  制御回路    ＳＷ１  第１のスイッチ    ＳＷ２  第２のスイッチ。
【図１】
2006270161.tif 000003
【図２】
2006270161.tif 000004
【図３】
2006270161.tif 000005
【図４】
2006270161.tif 000006
【図５】
2006270161.tif 000007